(57)【要約】【課題】作業時および移動時の作業性を向上させる。【解決手段】伸縮ロッド６の先端筒５には、装着部８が螺装される。この装着部８には、水分センサ９が姿勢を調整可能に装着される。伸縮ロッド６の基部３には、保持部２０が設けられ、水分計１０が納められるようになっている。先端筒５と基部３にはそれぞれ、螺旋状接続コード３０の端部３０Ａ、３０Ｂが固定され、水分センサ９と水分計１０とに接続される。伸縮ロッド６と接続コード３０との間には、支持部材３３が設けられる。支持部材３３は固定具３４が接続コード３０に係止され、環状部材３６が伸縮ロッド６に遊びを持たせて取り付けられる。この支持部材３３は、接続コード３０をロッド側に沿って支持し弛むことがないようにしている。【選択図】図１
2005164481.tif 000002
【特許請求の範囲】
【請求項１】
伸縮ロッドの先端に、測定器と電気的に接続されるセンサが取り付けられた測定装置において、上記先端に設けられ、センサが取り外し自在に装着されるとともにセンサの姿勢を調整可能な装着部と、伸縮ロッドの基部に設けられ、測定器が保持される保持部と、両端側が伸縮ロッドの先端と基部とにそれぞれ固定され、センサと測定器との間を接続する伸縮自在な接続コードとを備えるとともに、接続コードを伸縮ロッドに沿って支持する支持部材を設けたことを特徴とする測定装置。
【請求項２】
保持部を筒状体から構成し、その内部には測定器を保持する弾性部材を取り付けるとともに、この筒状体の出し入れ側には測定器の脱落を阻止する押さえ板を設けたことを特徴とする請求項１に記載の測定装置。
【請求項３】
測定器は水分を測定する水分計により、センサは本体から外部に突出した一対の電極ピンを備えた水分センサによりそれぞれ構成されるとともに、センサには、電極ピンに装着され電極ピンの汚れを吸着する清掃カバーが取り付けられることを特徴とする請求項１または２に記載の測定装置。
【発明の詳細な説明】
【技術分野】
【０００１】
本発明は、測定装置に関し、特に、建築仕上材や地下構造物の表面の水分を計測する測定装置に関するものである。
【背景技術】
【０００２】
建築仕上材、例えば、天井に用いる吸音板が漏水により水を多く含むと、接着剤の効果が落ち、落下する危険性が生じる畏れがある。また、地下構造物、例えば、地下の駅などでは、天井や壁面にクラック等が発生すると水が浸みだし構造物に悪影響を与えたり水漏れが発生する。一般に、地下構造物表面の水分を計測する場合、作業員が水分計を手に持ち測定するようにしているが、高い所を測定する場合、脚立や梯子を使用しながら測定面に電極を直角に押し当てて測定していた。しかしながら、係る測定方法では、作業効率が悪いという問題があった。このような問題を解決するため、伸縮ロッドの先端に水分計のセンサを取り付け、このセンサの向きを遠隔操作により調整するようにした装置が知られている（特許文献１参照）。
【特許文献１】特開平８−２７１４５９号公報（第２頁、図１および図４）
【発明の開示】
【発明が解決しようとする課題】
【０００３】
しかしながら、上記従来の測定装置では、伸縮ロッドの先端にセンサを取り付け、ロッドから延長した接続コードを介して水分計で計測するようにしているので、測定時、少なくともロッドを操作する作業員と、水分計を計測する作業員とが必要になるという問題がある。測定位置を移動する場合など、ロッドと水分計とを持ち運ぶだけでなく、ロッド内に挿通されロッド下端から外部に伸びる接続コードをも引き回しながら移動するようにしている。このため、移動するたびに接続コードに注意しながら移動しなければならず作業性が悪いという問題があった。また、接続コードを伸縮ロッド内に挿通させているため、ロッドが大径となって重量化し、作業しにくくなる。さらに、伸縮ロッド自体を長寸化すると、短くして使用する場合、外部に露出する接続コードが長くなってしまい、移動に難渋するという問題がある。また、測定を続けて行う場合、センサの電極ピンが次第に汚れ、測定精度が落ちるため、複数回の測定毎電極ピンの汚れを清浄な布で拭き取らなければならず、作業性が悪いという問題がある。
【０００４】
本発明は、上記課題を解決するためになされたもので、簡素な構成で移動時あるいは作業時の作業効率を向上させ、使い勝手の良好な測定装置を提供することを目的とするものである。
【課題を解決するための手段】
【０００５】
本発明に係る測定装置は、伸縮ロッドの先端に、測定器と電気的に接続されるセンサが取り付けられた測定装置において、上記先端に設けられ、センサが取り外し自在に装着されるとともにセンサの姿勢を調整可能な装着部と、伸縮ロッドの基部に設けられ、測定器が保持される保持部と、両端側が伸縮ロッドの先端と基部とにそれぞれ固定され、センサと測定器との間を接続する伸縮自在な接続コードとを備えるとともに、接続コードを伸縮ロッドに沿って支持する支持部材を設けるようにしたものである。
【０００６】
本発明に係る測定装置では、伸縮ロッドの先端に、測定器と電気的に接続されるセンサが取り付けられた測定装置であって、上記先端に設けられ、センサが取り外し自在に装着されるとともにセンサの姿勢を調整可能な装着部と、伸縮ロッドの基部に設けられ、測定器が保持される保持部と、両端側が伸縮ロッドの先端と基部とにそれぞれ固定され、センサと測定器との間を接続する伸縮自在な接続コードとを備えるとともに、接続コードを伸縮ロッドに沿って支持する支持部材を設けたことにより、作業を行うときには、センサを装着部に取り付け接続コードの先端側端部と接続し、保持部に測定器を装着して接続コードの基部側端部と接続し、測定すべき面の高さに応じて伸縮ロッドを伸ばすと、接続コードは支持部材により伸縮ロッドの伸びに応じて伸縮ロッドに沿って伸びる。伸縮ロッドを伸ばした状態から縮めると、接続コードは伸縮ロッドに沿って縮む。また、センサは測定すべき面の傾斜に応じて自在に姿勢を調整することができるので、測定面に正確にセンサを当てることができる。移動する際、伸縮ロッドを持ち運ぶだけで、接続コードも測定器も伸縮ロッドと一体に運ぶことができるので、作業性が向上する。さらに、接続コードを伸縮ロッドの外部に配置しているので、伸縮ロッドを細径化して軽量化を図ることができる。接続コードは常に伸縮ロッド側に沿って支持されるので、伸縮しても垂れ下がって作業の邪魔をすることがないので作業性が向上する。
【０００７】
また、請求項２に係る測定装置は、保持部を筒状体から構成し、その内部には測定器を保持する弾性部材を取り付けるとともに、この筒状体の出し入れ側には測定器の脱落を阻止する押さえ板を設けるようにしたものである。
【０００８】
請求項２に係る測定装置では、保持部を筒状体から構成し、その内部には測定器を保持する弾性部材を取り付けるとともに、この筒状体の出し入れ側には測定器の脱落を阻止する押さえ板を設けるようにしたので、作業時、伸縮ロッドの姿勢がたとえ上下逆になっても、測定器は弾性部材により保持されるので脱落しにくく、また、衝撃を受けても弾性部材により衝撃が緩和され保護される。また、たとえ衝撃を受けても、押さえ板は測定器が外部に脱落するのを阻止するので、機器の保全を図ることができる。このため、たとえ伸縮ロッドが手から滑り落ちても、測定器は筒状体と弾性部材により保護されるので破損しにくい。
【０００９】
請求項３に係る測定装置は、測定器は水分を測定する水分計により、センサは本体から外部に突出した一対の電極ピンを備えた水分センサによりそれぞれ構成されるとともに、センサには、電極ピンに装着され電極ピンの汚れを吸着する清掃カバーが取り付けられるようにしたものである。
【００１０】
請求項３に係る測定装置では、測定器は水分を測定する水分計により、センサは本体から外部に突出した一対の電極ピンを備えた水分センサによりそれぞれ構成されるとともに、センサには、電極ピンに装着され電極ピンの汚れを吸着する清掃カバーが取り付けられるようにしたので、適当な測定回数毎センサの電極ピンに掃除カバーを付け外すだけで電極ピンの汚れを取り除くことができるので、簡単な作業で測定精度を維持することができる。
【発明の効果】
【００１１】
本発明に係る測定装置は、伸縮ロッドの先端に、測定器と電気的に接続されるセンサが取り付けられた測定装置において、上記先端に設けられ、センサが取り外し自在に装着されるとともにセンサの姿勢を調整可能な装着部と、伸縮ロッドの基部に設けられ、測定器が保持される保持部と、両端側が伸縮ロッドの先端と基部とにそれぞれ固定され、センサと測定器との間を接続する伸縮自在な接続コードとを備えるとともに、接続コードを伸縮ロッドに沿って支持する支持部材を設けるようにしているので、簡素な構成で移動時あるいは作業時の作業性を向上させることができる。
【発明を実施するための最良の形態】
【００１２】
移動時あるいは作業時の作業性を向上させるという目的を、伸縮ロッドの先端には、センサが装着されその姿勢を自在に調整可能な装着部を設け、伸縮ロッドの基部には、測定器が納められる保持部を設けるとともに、センサと測定器とに接続される伸縮自在な接続コードの両端部を伸縮ロッドの先端と基部とにそれぞれ固定し、伸縮ロッドと接続コードとに係止される支持部材により接続コードを伸縮ロッドに沿って支持することにより実現した。
【実施例１】
【００１３】
以下、図面に示す実施の形態により本発明を説明する。図１は本発明の一実施の形態に係る測定装置の全体図である。本実施の形態に係る測定装置２は、図１に示すように、大径の円管状基部３とこの基部３内にそれぞれ径に応じて順に収容される小径の中間筒４と先端筒５とを有する伸縮ロッド６を備えている。伸縮ロッド６は先端筒５が中間筒４に、中間筒４が基部３の内部にそれぞれ収容される。基部３と中間筒４との間、中間筒４と先端筒５との間には、それぞれ締め付け具７、７が設けられる。伸縮ロッド６は、この締め付け具７、７を緩めて先端筒５と中間筒４とのうち少なくともいずれか一方を先端側に所望の長さ引き出し、締め付け具７、７を締め付けると、伸縮ロッド６を所望の長さに設定できるようになっている。基部３は管状部３Ａとその管状部３Ａの外周に形成された合成樹脂製発泡体からなる大径の握り部３Ｂ、３Ｃとからなっている。
【００１４】
先端筒５の頂部には、Ｔ字状の装着部８が取り外し自在に設けられる。この装着部８は、図２に示すように、断面Ｃ字状の半割状部８Ａとこの半割状部８Ａの下面から下方に延びるねじ部８Ｂとにより構成される。このねじ部８Ｂは先端筒５上端のねじ穴５Ａに螺装される。装着部８の半割状部８Ａは伸縮ロッド６の軸心に対して直角になっている。この半割状部８Ａには、水分計（測定器）１０（図３参照）の水分センサ（センサ）９が取り外し自在に装着されるようになっている。水分センサ９は、本体の上端面に突出して設けられた一対の電極ピン１１Ａ、１１Ｂを備えている。この水分センサ９の下部は円柱状に形成される。この円柱状部１２は、半割状部８Ａに圧入されるようになっている。このため、水分センサ９を半割状部８Ａに装着し、水分センサ９を押し回すと押し回した角度でその姿勢を変えられるようになっている。すなわち、水分センサ９は伸縮ロッド６の軸心に対して直角方向を回動中心として所望の角度で傾斜させた状態を保つことができるようになっている。水分センサ９の円柱状部１２の一端は半球状に、他端は次第に縮径する円錐状に形成され、この円錐状部から接続端子１３が伸びている。
【００１５】
水分センサ９の上端には、汚れを吸着する合成樹脂製発泡体からなる掃除カバー１４が被せられるようになっている。掃除カバー１４には、電極ピン１１Ａ、１１Ｂが差し入れられる掃除孔１５Ａ、１５Ｂが形成される。この掃除カバー１４は、水分センサ９上端に被せられると、掃除孔１５Ａ、１５Ｂに電極ピン１１Ａ、１１Ｂが差し入れられ電極ピン１１Ａ、１１Ｂの汚れを吸着するようになっている。このように、掃除カバー１４を電極ピン１Ａ、１１Ｂに装着するだけで汚れが取れるので、電極ピン１１Ａ、１１を常に良好な状態に保持できる。また、水分センサ９には、掃除カバー１４が被せられると、電極ピン１１Ａ、１１Ｂを保護するキャップ１６が被せられるようになっている。このキャップ１６は硬質の合成樹脂からなり、水分センサ９の上部に嵌るようになっている。水分計１０は、図３に示すように、上部１０Ａが幅広で下部１０Ｂが幅狭の角筒状に形成され、上面に表示部１０Ｃが形成される。幅広上部１０Ａの一側部には、水分センサ９と接続される接続端子１０Ｄが設けられる。
【００１６】
伸縮ロッド６の基部３には、上下の握り部３Ｂ、３Ｃ間に水分計１０を納める保持部２０が設けられる。保持部２０は水分計１０を脱落しないように保持するようになっている。保持部２０は、図４に示すように、管状部３Ａに固定された角箱部２１の対向する側面にそれぞれ取り付けられた断面Ｌ字状折曲プレート２２Ａ、２２Ｂと、これら折曲プレート２２Ａ、２２Ｂの折曲端間に取り付けられた合成樹脂からなる透明プレート２３とを備えている。透明プレート２３には、円形の穴２４が形成される。これら角箱部２１と折曲プレート２２Ａ、２２Ｂと透明プレート２３とにより水分計１０を納める筒状体を構成している。
【００１７】
この筒状の保持部２０内部には、角箱部２１と折曲プレート２２Ａ、２２Ｂとに合成樹脂製発泡体からなる弾性部材２５が取り付けられ、水分計１０が内部に納められると弾性変形して保持し脱落させないようになっている。保持部２０の上部開口の角箱部２１側上端部には、押さえ板２６が傾斜して取り付けられる。押さえ板２６は外部の力で撓むようになっており、伸縮ロッド６が衝撃を受けても水分計１０が容易に脱落しないようになっている。この保持部２０には、上部開口から水分計１０を出し入れするようになっている。この保持部２０に水分計１０を納めると、伸縮ロッド６を操作する作業員が水分センサ９を測定部位に押し当てたまま、同時に水分計１０の計測値を読み取ることができる。
【００１８】
先端筒５の上部には、図１に示すように、水分センサ９と水分計１０とを接続する螺旋状に形成された接続コード３０の一端が、また、基部３の保持部２０上部には、その接続コード３０の他端近傍が拘束具３１、３２によりそれぞれ固定される。接続コード３０は螺旋状に形成されているので、伸縮するようになっている。また、接続コード３０の先端筒５側端子は水分センサ９の端子１３に、接続コード３０の基部３側端子は水分計１０の端子１０Ｄにそれぞれ接続されるようになっている。
【００１９】
伸縮ロッド６には、図１に示すように、所定の間隔をおいて複数の支持部材３３が取り付けられる。すなわち、接続コード３０の伸縮の状態に関係なく弛むことがないように、伸縮ロッドの最大伸長時、各支持部材３３がそれぞれ、基部３、中間筒４および先端筒５の各ロッド部と接続コード３０とを結んで係止するよう配置されている。この支持部材３３は、図５に示すように、接続コード３０に挟み付けられる固定具３４と、この固定具３４の開口部３５に挿通され伸縮ロッド６に遊びを持って掛け回された環状部材３６とにより構成される。伸縮ロッド６と接続コード３０との間には、支持部材３３が取り付けられているので、伸縮ロッド６の伸縮に応じて接続コード３０が伸縮しても支持部材３３は接続コード３０を常に伸縮ロッド６側に沿って支持するので、接続コード３０が垂れ下がって測定作業の邪魔をすることがない。
【００２０】
次に、上記実施の形態に係る測定装置２の作用について説明する。この測定装置２は、例えば、地下駅の壁面等の構造物について作業を行う際、まず、掃除カバー１４とキャップ１６が被せられた水分センサ９を、装着部８に取り付ける。取り付けは水分センサ９の円柱状部１２を半割状部８Ａに押し込んで行う。次に、水分センサ９の端子１３を接続コード３０の先端筒５側端子に接続する。次に、測定すべき面の高さに応じて伸縮ロッド６を伸ばして締め付け具７を締め付ける。測定すべき面が傾斜している場合、傾斜角度に応じて、水分センサ９を押し回して傾斜させると、その姿勢が保持される。次に、保持部２０に水分計１０を装着し、接続コード３０の基部３側端子を水分計１０の端子１０Ｄに接続し、掃除カバー１４とキャップ１６を取り外して測定を行う。測定は、測定すべき面に水分センサ９の両電極ピン１１Ａ、１１Ｂを押し当てて行われる。
【００２１】
測定時、測定すべき面の高さに応じて伸縮ロッド６を伸縮させると、接続コード３０は伸縮ロッド６の伸縮に応じて伸縮する。しかも、接続コード３０は支持部材３３により伸縮ロッド６側に拘束されているので、垂れ下がることがない。また、水分センサ９は測定すべき面の傾斜に応じて自在に姿勢を調整することができるので、測定面に正確に水分センサ９を当てることができる。さらに、測定時、伸縮ロッド６を操作する作業員が手で基部３を持ち、水分センサ９を測定部位に押し当てたまま、同時に水分計１０の計測値を読み取ることができるので、少人数でしかも効率的に測定を行うことができる。移動する際、伸縮ロッド６を持ち運ぶだけで、接続コード３０も水分計１０も伸縮ロッド６と一体に運ぶことができるので、作業性が向上する。さらに、接続コード３０を伸縮ロッド６の外部に配置しているので、伸縮ロッド６を細径化して軽量化を図ることができ、作業員の疲労を緩和することができる。
【００２２】
また、保持部２０には、弾性部材２５と押さえ板２６が取り付けられているため、水分計１０は、衝撃を受けても容易に外部に脱落することがなく、衝撃も緩和することができる。また、適当な測定回数毎水分センサ９の電極ピン１１Ａ、１１Ｂに掃除カバー１４を付け外すだけで電極ピン１１Ａ、１１Ｂの汚れを取り除くことができるので、簡単な作業で測定精度を維持することができる。移動時、キャップ１６を水分センサ９に取り付けておけば、万一、水分センサ９が構造物に当たっても破損を防ぐことができる。
【００２３】
なお、上記実施例では、装着部８はＴ字状に形成され、水分センサ９は伸縮ロッド６軸心に対して直角方向を回動中心として姿勢を変更することができるようになっているが、これに限られるものではなく、半割状部８Ａに対してねじ部８Ｂを傾斜可能に設け、半割状部８Ａを伸縮ロッド６の軸心に対して傾斜させ、姿勢をどの角度にも調整できるようにしてもよい。また、保持部２０は市販されている種々の水分計の形状に合わせて形成するようにしてもよいし、筒状体に限らず、水分計を基部３に保持するものであればよい。さらに、支持部材３３は、上記実施の形態に限られるものではなく、伸縮ロッド６と螺旋状接続コード３０とに取り付けられ、ロッド６やコード３０の伸縮に関係なく、接続コード３０を伸縮に関係なく常に伸縮ロッド６側に沿って支持するものであればよいことはいうまでもない。また、装着部８のねじ部８Ｂを先端筒５上端のねじ穴５Ａに螺装しているが、非使用時には、装着部８を先端筒５から取り外して管理し、円形頭部を有するねじをねじ穴５Ａに螺装するようにしておいてもよい。
【図面の簡単な説明】
【００２４】
【図１】本発明の一実施の形態に係る測定装置を示す全体図である。（実施例１）
【図２】図１の測定装置の水分センサの取り付け状態を示す説明図である。
【図３】図１の測定装置の水分計を示す斜視図である。
【図４】図１の測定装置の保持部を示す斜視図である。
【図５】図１の測定装置の支持部材を示す説明図である。
【符号の説明】
【００２５】
２  測定装置
３  基部
５  先端筒（先端）
６  伸縮ロッド
８  装着部
９  水分センサ（センサ）
１０  水分計（測定器）
２０  保持部
３０  接続コード
３０Ａ、３０Ｂ  接続コード両端部
【図１】
2005164481.tif 000003
【図２】
2005164481.tif 000004
【図３】
2005164481.tif 000005
【図４】
2005164481.tif 000006
【図５】
2005164481.tif 000007
【手続補正書】
【提出日】平成15年12月8日(2003.12.8)
【手続補正１】
【補正対象書類名】図面
【補正対象項目名】全図
【補正方法】変更
【補正の内容】
【図１】
2005164481.tif 000008
【図２】
2005164481.tif 000009
【図３】
2005164481.tif 000010
【図４】
2005164481.tif 000011
【図５】
2005164481.tif 000012